(57)【要約】      （修正有）【課題】吹き出される風の偏りを緩和することができる送風装置を提供する。【解決手段】ダクト２とファン３とを有する送風装置１において、前記ダクト２が、ファンケース４と首部７とノズル部６とから構成され、前記ファン３が、吸気口を有する前記ファンケース４に収容され、前記ノズル部６が、前記首部７における気流方向と交差する方向に開口した吹出口５を有し、この吹出口５に対向する前記ダクト２の壁面１７に前記吹出口５方向へ突出する第一の湾曲部１２を備えることで、前記ファン３で生み出され前記ダクト２の背面内壁に沿って流れてきた空気の一部の進行方向を変更し、風速の速い範囲を吹出口５の下方まで拡大することで、吹き出される風の偏りを緩和することができる。【選択図】図２
2015068298.tif 000002
【特許請求の範囲】
【請求項１】
ダクトとファンとを有する送風装置において、
前記ダクトが、ファンケースと首部とノズル部とから構成され、
前記ファンが、吸気口を有する前記ファンケースに収容され、
前記ノズル部が、前記首部における気流方向と交差する方向に開口した吹出口を有し、
この吹出口に対向する前記ダクトの壁面に前記吹出口方向へ突出する第一の湾曲部を備えることを特徴とする送風装置。
【請求項２】
前記第一の湾曲部が前記首部に設けられることを特徴とする請求項１に記載の送風装置。
【請求項３】
前記吹出口に対向する前記ノズル部の壁面に前記吹出口方向へ突出する第二の湾曲部を備えることを特徴とする請求項２に記載の送風装置。
【発明の詳細な説明】
【技術分野】
【０００１】
本発明は、吹出口全体から吹き出される風の偏りを緩和することができる送風装置に関する。
【背景技術】
【０００２】
この種の送風装置として、例えば特許文献１には、ケーシング内に配設された遠心送風機により生み出された風が四角柱状の吐出ダクトを通り吹出口から吐出される送風装置が開示されている。
【先行技術文献】
【特許文献】
【０００３】
【特許文献１】特開平７−２３８９００号公報
【発明の概要】
【発明が解決しようとする課題】
【０００４】
しかしながら、上述した従来の送風装置は、吐出ダクトの壁が垂直に立ち上がる構造であるため、吐出ダクトの壁に吹出口が縦長に形成された場合に、吹出口の下方から吹き出される風量が上方と比較して乏しくなり、吹出口の上下で風量に偏りが生じてしまうという問題点があった。
【０００５】
そこで、本発明は上記問題点に鑑み、吹出口が縦長に形成された場合であっても、吹き出される風の偏りを緩和することができる送風装置を提供することを目的とする。
【課題を解決するための手段】
【０００６】
本発明の請求項１に記載の送風装置は、ダクトとファンとを有する送風装置において、前記ダクトが、ファンケースと首部とノズル部とから構成され、前記ファンが、吸気口を有する前記ファンケースに収容され、前記ノズル部が、前記首部における気流方向と交差する方向に開口した吹出口を有し、この吹出口に対向する前記ダクトの壁面に前記吹出口方向へ突出する第一の湾曲部を備えることを特徴とするものである。
【０００７】
本発明の請求項２に記載の送風装置は、請求項１において、前記第一の湾曲部が前記首部に設けられることを特徴とするものである。
【０００８】
本発明の請求項３に記載の送風装置は、請求項２において、前記吹出口に対向する前記ノズル部の壁面に前記吹出口方向へ突出する第二の湾曲部を備えることを特徴とするものである。
【発明の効果】
【０００９】
本発明の請求項１に記載の送風装置は、ダクトの壁面に設けた吹出口方向へ突出する第一の湾曲部により、ファンで生み出されダクトの背面内壁に沿って流れてきた空気の一部の進行方向を変更し、風速の速い範囲を吹出口の下方まで拡大することで、吹き出される風の偏りを緩和することができる。
【００１０】
なお、首部に第一の湾曲部を設けることにより、首部の背面内壁に沿って流れてきた空気の一部の進行方向を吹出口の下部方向へ変更し、風速の速い範囲を吹出口の下方まで拡大することで、吹き出される風の偏りを緩和することができる。
【００１１】
また、首部とノズル部の２箇所に湾曲部を設けることにより、ダクトの背面内壁に沿って流れてきた空気の一部の進行方向を２箇所の湾曲部でそれぞれ変更し、風速の速い範囲が吹出口の上部と下部に偏らないようにして、風の均一性を高めることができる。
【図面の簡単な説明】
【００１２】
【図１】本発明の一実施例を示す送風装置を備えるタワー型ファンヒーターの斜視図である。
【図２】同、送風装置を備えるタワー型ファンヒーターのＡ−Ａ断面図である。
【図３】同、送風装置内部の風の流れ方向を示す断面図である。
【図４】同、送風装置の斜視図である。
【図５】背面壁を直線とした場合の送風装置内部の風の流れ方向を示す断面図である。
【発明を実施するための形態】
【００１３】
以下、添付図面を参照しつつ、本発明における送風装置の好ましい実施例を説明する。
【００１４】
図１は、本発明の一実施例における送風装置１を備える家庭用のタワー型ファンヒーターを示している。
【００１５】
図２は、図１に示すタワー型ファンヒーターのＡ−Ａ断面図を示している。同図において、前記送風装置１の外郭であるダクト２は、送風体としてのファン３を収容する渦巻状のファンケース４と、その上部に配設される略矩形筒状の首部７と、この首部７の上部に配設され、縦長矩形の吹出口５を有する扁平状のノズル部６とにより構成される。なお、本実施例において、前記ダクト２は一体成形されたものであるが、それぞれ別個に成形された前記ファンケース４、首部７及びノズル部６を接続してもよい。
【００１６】
前記ダクト２は、前記ファン３から送り出された空気を、前記ファンケース４、首部７、ノズル部６の順に導き、前記吹出口５から排出する通風路としての機能を有する。
【００１７】
また、前記ダクト２は縦長幅狭の扁平形状をなし、前記ノズル部６の左右方向の幅が前記ファンケース４の幅よりも小さな寸法で形成されている。これにより、前記送風装置１の薄型コンパクト化を達成し、最終製品であるタワー型ファンヒーターのスリム化を達成している。
【００１８】
前記ファンケース４は、前記ファン３を収容すると共に空気が通る通風路として機能する渦巻状のスクロール部１０と、前記首部７とスクロール部１０とを接続するノーズ部９とにより構成される。また、前記スクロール部１０には、前記ファン３を収容した状態で、このファン３の回転軸方向の両側に外部から空気を吸い込む円形の吸気口８（図４を参照）が開口形成される。なお、前記吸気口８は、空気を十分に吸込むことができれば、その形状は問わず、また、片側一方だけに設けてもよい。
【００１９】
前記ファン３は、複数枚のファンブレードを外周に備える、いわゆる遠心ファンの構造を有する。駆動源としてのモータ（図示せず）を通電させて前記ファン３を回転させると、前記ファンケース４に設けた吸気口８から前記ファン３内部に空気が取り込まれる。前記吸気口８から取り込まれた空気は、前記ファン３の回転に伴いこのファン３の回転軸に直交する外周方向に送り出され、前記スクロール部１０の通風路に沿って前記ファンケース４内部を通り通風路の終点にある前記ノーズ部９を通過して前記首部７へ送られる。なお、前記ファン３には、本実施例に示すようなシロッコファンに限らず、ターボファン、ラジアルファンなどを用いてもよい。
【００２０】
前記首部７は、前記ファンケース４の上部に連接して設けられ、このファンケース４から送られる空気を、前記吹出口５が形成されたノズル部６へと導く通風路として機能する。そして、前記首部７は、下方の前記ファンケース４側よりも、上方の前記ノズル部６側が左右方向で幅狭に形成され、前記ノズル部６及び吹出口５の幅に適合した風の流れを作り出す整流効果を有する。
【００２１】
また、前記首部７の背面壁１１には、前方へ凸となる第一の湾曲部１２が形成される。この第一の湾曲部１２により、前記ファンケース４の背面内壁に沿って前記首部７に送られてきた空気の一部の進行方向を、上向きから、前記吹出口５が形成された前方方向（図３の矢印Ｗ２の方向）に変えることができる。前記第一の湾曲部１２が滑らかに湾曲していることから、前記ファンケース４の背面内壁に沿って前記首部７に送られてきた空気は、前記第一の湾曲部１２に接触し、一部が進行方向を変え、残りが流れを阻害されることなく背面内壁に沿って上方（図３の矢印Ｗ１の方向）へ流れていく。
【００２２】
図３は、ダクト２の背面壁１７に湾曲部を設けた本実施例の送風装置１の主な風の経路を示し、図５は、ダクト２´の背面壁１７´に湾曲部を設けない送風装置１´の主な風の経路を示す。なお、図５は、本実施例を示す図３と比較するものであり、本発明の実施例ではない。
【００２３】
図５に示すとおり、首部７´の背面壁１１´に湾曲部を設けない場合には、ファン３で生み出された風の多くは、前記ダクト２´の背面壁１７´に沿って上方へ流れていく経路Ｗ５を通る。これに対し、図３に示す、前記首部７に第一の湾曲部１２を設けた本実施例の送風装置１では、前記ファン３で生み出された風は、前記ダクト２の背面内壁に沿って上方へ流れていく経路Ｗ１と、第一の湾曲部１２で進行方向を変えられ前記吹出口５方向へ流れていく経路Ｗ２とに分散される。経路Ｗ１を通る風は、縦長に形成された前記吹出口５の上部から外部へ吹き出され、経路Ｗ２を通る風は、前記吹出口５の下部から外部へ吹き出される。
【００２４】
このように、前記首部７に第一の湾曲部１２を設けたことにより、前記吹出口５の下部から吹き出す風の量が増加するので、風の吹出し量が前記吹出口５の上部に偏ることなく、この吹出口５の下部まで、風の排出範囲を広げることができる。
【００２５】
前記ノズル部６は、縦長幅狭の扁平形状を有し、前記首部７の上部に連接して設けられ、この首部７から送られる空気を前記吹出口５へと導く通風路として機能する。また、前記ノズル部６は、上部が前方に向かって傾斜した背面壁１３と、この背面壁１３の上部に連接し、前方に向かってなだらかに湾曲した天井部１６とを有する。前記背面壁１３の傾斜と天井部１６の湾曲は、前記ノズル部６内の空気を後方から前方へ流れ易くする。
【００２６】
また、前記背面壁１３には、前方に凸となる第二の湾曲部１４と、その下部に第二の湾曲部１４に連接した直線部１５とが形成される。
【００２７】
前記ノズル部６の左右方向の幅は、前記ファン３が収容されるファンケース４の幅よりも薄く形成され、前記ファン３から送り出される風を減速させることなく前記首部７から前記ノズル部６へ流すことができる。
【００２８】
さらに、前記ノズル部６は前記背面壁１３から前記吹出口５に向かって徐々に幅狭になるように形成されており、前記ノズル部６内の空気を後方から前方に形成された前記吹出口５に集中させて外部に吹出すように整流する効果を有する。
【００２９】
前記ノズル部６に形成された第二の湾曲部１４は、前記ファン３で生み出され前記ファンケース４、首部７及びノズル部６の直線部１５を背面内壁に沿って送られてきた空気の一部の進行方向を上向きから前記吹出口５が形成された前方方向（図３の矢印Ｗ４の方向）に変えることができる。前記第二の湾曲部１４は、滑らかに湾曲していることから、前記ノズル部６の背面内壁に沿って送られてきた空気は、前記第二の湾曲部１４に接触し、一部は進行方向を変え、残りは流れを阻害されることなく前記天井部１６の内壁に沿って（図３の矢印Ｗ３の方向）流れていく。
【００３０】
図５に示すとおり、前記ノズル部６´の背面壁１３´に湾曲部を設けない場合には、前記ノズル部６´上部に流れてきた風は、前記ダクト２´の背面壁１７´に沿って前記天井部１６へ流れていく経路Ｗ６を通る。これに対し、図３に示す前記ノズル部６の背面壁１３に第二の湾曲部１４を設けた本実施例の送風装置１では、前記ダクト２の背面壁１７に沿って上方へ流れてきた風は、前記第二の湾曲部１４に沿って前記天井部１６へ流れていく経路Ｗ３と、前記第二の湾曲部１４で進行方向を変えられ前記吹出口５の方向へ流れていく経路Ｗ４とに分散される。経路Ｗ３を通る風は、前記吹出口５の最上部から外部へ吹出され、経路Ｗ４を通る風は、経路Ｗ３を通る風よりも下方で前記吹出口５から外部へ吹き出される。
【００３１】
以上のとおり、本実施例の送風装置１は、前記第一の湾曲部１２及び第二の湾曲部１４を設けることにより、前記ダクト２の背面壁１７に湾曲部を設けない場合と比較して、前記吹出口５の下部から吹き出す風の量を増加させると共に、前記吹出口５の上部においても広い範囲で風を吹き出させることができるので、前記吹出口５の上下から吹き出す風の量の均一性を高めることができる。
【００３２】
以下、本実施例の送風装置１を組み込んだタワー型ファンヒーターの構成について説明する。
【００３３】
本実施例の送風装置１は、タワー型ファンヒーターの内部の略中心位置に立設される。
【００３４】
タワー型ファンヒーター本体の下部には、前記ファンケース４に設けられた吸気部８に対応する位置に吸気部２１が設けられ、前記ファン３が回転を開始すると、外部の空気が前記吸気部２１から吸い込まれ、前記吸気口８を通過して、前記ファン３内に取り込まれる。前記ファン３内に取り込まれた空気は、前記ファンケース４、首部７、ノズル部６の順に送られ、前記吹出口５から前記送風装置１外に排出される。
【００３５】
前記吹出口５の吹出し方向には、ＰＴＣヒーター等を用いた加熱部１８が配設されている。この加熱部１８は、網目状等の空気を通す形状に形成されており、前記吹出口５から排出された空気は前記加熱部１８を通過する際に加熱され温風となって外部へ吹き出される。
【００３６】
また、前記加熱部１８の前方には、複数のルーバー１９が配設され、外部へ吹出す風の方向を調整することができる。本実施例のように、前記ルーバー１９を下向きに設定すれば、温風を床方向に吹き出して室内の床付近を効率よく温めることができる。なお、前記ルーバー１９は、固定式又は可動式の何れに設定してもよく、風が吹き出す面全体又は一部分に設けることができる。
【００３７】
また、前記加熱部１８及びルーバー１９の前方には、使用者が前記加熱部１８やルーバー１９に誤って手等を接触しないように、安全カバー２０が備えられ、この安全カバー２０に設けられた複数の貫通穴から風が吹出す構造となっている。
【００３８】
タワー型ファンヒーターの操作は、本体上面に設けられた操作部２２により行う。この操作部２２は、電源の入／切ボタン、本体を左右に首振り運動させるスイングボタン、温風／送風の運転モードを切り替えるモード選択ボタン、運転の入／切時間を予約するタイマーボタン、温風の設定温度を切り替える温度切替ボタン等を備える。
【００３９】
なお、本発明は上述した実施形態例に限定されるものではなく、本発明の要旨の範囲内において、種々の変形実施が可能である。例えば、第二の湾曲部を設けず、第一の湾曲部のみ設けたものや、湾曲部を三箇所以上設けたもの、吹出口５の形状を変更したものに適宜変更可能である。
【符号の説明】
【００４０】
１  送風装置
２  ダクト
３  ファン
４  ファンケース
５  吹出口
６  ノズル部
７  首部
８  吸気口
１２  第一の湾曲部
１４  第二の湾曲部
【図１】
2015068298.tif 000003
【図２】
2015068298.tif 000004
【図３】
2015068298.tif 000005
【図４】
2015068298.tif 000006
【図５】
2015068298.tif 000007